(57)【特許請求の範囲】
【請求項１】
蓄電池パックであって、
蓄電池と、
前記蓄電池と外部機器との間の電気的な接続のオン／オフを切り替える停止器と、
前記蓄電池パックの利用状況が利用条件を満たさないとき、前記停止器を制御して前記蓄電池と外部機器との間の電気的な接続を遮断する制御器と、を備え、
前記利用条件は、前記蓄電池パックの貸与サービスの利用条件であり、サーバ装置に蓄積された、前記蓄電池パックの状態を示す情報の更新期限を経過していないこと、または前記更新期限までに前記蓄電池パックの状態を示す情報を前記サーバ装置に送信することを含む、
蓄電池パック。
【請求項２】
蓄電池パックであって、
蓄電池と、
前記蓄電池と外部機器との間の電気的な接続のオン／オフを切り替える停止器と、
前記蓄電池パックの利用状況が利用条件を満たさないとき、前記停止器を制御して前記蓄電池と外部機器との間の電気的な接続を遮断する制御器と、を備え、
前記利用条件は、前記蓄電池パックの貸与サービスの利用条件であり、所定期間内に前記蓄電池パックの推奨使用量以上、前記蓄電池パックを使用することを含む、
蓄電池パック。
【請求項３】
前記蓄電池パックの利用状況が前記利用条件を満たさない場合に、
前記蓄電池パックが放電中でないときは、前記蓄電池パックの放電開始要求があっても、前記制御器は、前記停止器を制御して前記蓄電池と外部機器との間の電気的な接続を遮断する状態を維持することで放電を許可せず、
前記蓄電池パックが放電中であるときは、前記制御器は、前記停止器を制御して前記蓄電池と前記外部機器との間の電気的な接続を維持する、
請求項１または２に記載の蓄電池パック。
【請求項４】
前記利用条件は、前記蓄電池パックの貸与サービスの利用条件であり、前記蓄電池パックの返却期限を経過していないこと、または前記返却期限までに前記蓄電池パックを返却することを含む、
請求項１〜３のいずれか１項に記載の蓄電池パック。
【請求項５】
前記制御器は、前記停止器を制御して前記蓄電池と前記外部機器との間の電気的な接続を遮断する状態を維持することで前記蓄電池の放電を許可しない、
請求項１〜３のいずれか１項に記載の蓄電池パック。
【請求項６】
前記制御器は、前記停止器を制御して前記蓄電池と前記外部機器との間の電気的な接続を遮断する状態を維持することで前記蓄電池の充電を許可しない、
請求項１〜５のいずれか１項に記載の蓄電池パック。
【請求項７】
前記蓄電池パックは、さらに、利用者に対して警告を発する警告器を備え、
前記制御器は、前記停止器を制御して前記蓄電池と外部機器との間の電気的な接続を遮断する以前に、前記警告器を制御して前記利用者に警告を発する、
請求項１〜６のいずれか１項に記載の蓄電池パック。
【請求項８】
前記蓄電池パックは、さらに、利用者に対して警告を発する警告器を備え、
前記制御器は、前記停止器を制御して前記蓄電池と外部機器との間の電気的な接続を遮断する以前に、前記警告器を制御して記蓄電池パックの放電開始要求があったときに放電開始を待機させることにより前記利用者に警告を発する、
請求項１〜３、６及び７のいずれか１項に記載の蓄電池パック。
【請求項９】
前記蓄電池パックは、さらに、サーバ装置から情報端末を介して情報を取得する第１通信器を備え、
前記制御器は、前記第１通信器が前記利用状況が前記利用条件を満たしていないことを示す情報を取得すると、前記停止器を制御して前記蓄電池と外部機器との間の電気的な接続を遮断する、
請求項１〜８のいずれか１項に記載の蓄電池パック。
【請求項１０】
前記第１通信器は、近距離無線通信によって前記情報端末と通信する、
請求項９に記載の蓄電池パック。
【請求項１１】
前記蓄電池パックは、さらに、サーバ装置から無線通信によって情報を取得する第２通信器を備え、
前記制御器は、前記第２通信器が前記サーバ装置から前記利用状況が前記利用条件を満たしていないことを示す情報を取得すると、前記停止器を制御して前記蓄電池と外部機器との間の電気的な接続を遮断する、
請求項１〜１０のいずれか１項に記載の蓄電池パック。
【請求項１２】
蓄電池パックの制御方法であって、
前記蓄電池パックの利用状況が前記蓄電池パックの利用条件を満たさないとき、停止器を制御して前記蓄電池パックに含まれる蓄電池と外部機器との間の電気的な接続を遮断し、
前記利用条件は、前記蓄電池パックの貸与サービスの利用条件であり、サーバ装置に蓄積された、前記蓄電池パックの状態を示す情報の更新期限を経過していないこと、または前記更新期限までに前記蓄電池パックの状態を示す情報を前記サーバ装置に送信することを含む、
蓄電池パックの制御方法。
【請求項１３】
蓄電池パックの制御方法であって、
前記蓄電池パックの利用状況が前記蓄電池パックの利用条件を満たさないとき、停止器を制御して前記蓄電池パックに含まれる蓄電池と外部機器との間の電気的な接続を遮断し、
前記利用条件は、前記蓄電池パックの貸与サービスの利用条件であり、所定期間内に前記蓄電池パックの推奨使用量以上、前記蓄電池パックを使用することを含む、
蓄電池パックの制御方法。
【請求項１４】
前記蓄電池パックの利用状況が前記利用条件を満たさない場合に、
前記蓄電池パックが放電中でないときは、前記蓄電池パックの放電開始要求があっても、停止器を制御して前記蓄電池パックに含まれる蓄電池と外部機器との間の電気的な接続を遮断する状態を維持することで放電を許可せず、
前記蓄電池パックが放電中であるときは、前記停止器を制御して前記蓄電池と前記外部機器との間の電気的な接続を維持する、
請求項１２または１３に記載の蓄電池パックの制御方法。
【請求項１５】
前記利用条件は、前記蓄電池パックの貸与サービスの利用条件であり、前記蓄電池パックの返却期限を経過していないこと、または前記返却期限までに前記蓄電池パックを返却することを含む、
請求項１２〜１４のいずれか１項に記載の蓄電池パックの制御方法。
【発明の詳細な説明】
【技術分野】
【０００１】
本開示は、蓄電池パック及び蓄電池パックの制御方法に関する。
【背景技術】
【０００２】
従来、電動自転車、電動スクータ、電気自動車などに電力を供給するために蓄電池パックが利用されている。そして、蓄電池パックを利用者に貸与する貸与サービスが提案されている。特許文献１では、レンタル電池パックの利用状況に応じて課金する電池パック課金システムが開示されている。
【先行技術文献】
【特許文献】
【０００３】
【特許文献１】特開２００３−２８８５３９号公報
【発明の概要】
【発明が解決しようとする課題】
【０００４】
しかしながら、上記従来の技術では、貸与された蓄電池パックが適切に利用されない場合がある。蓄電池パックが適切に利用されなければ、蓄電池パックの貸与サービスを効率的に提供することが難しくなる。
【０００５】
上記事情を鑑み、例示的なある実施形態は、蓄電池パックの不適切な利用を抑制することができる蓄電池パック及び蓄電池パックの制御方法を提供する。
【課題を解決するための手段】
【０００６】
本開示の一態様に係る蓄電池パックは、蓄電池と、前記蓄電池と外部機器との間の電気的な接続のオン／オフを切り替える停止器と、前記蓄電池パックの利用状況が利用条件を満たさないとき、前記停止器を制御して前記蓄電池と外部機器との間の電気的な接続を遮断する制御器と、を備え、前記利用条件は、前記蓄電池パックの貸与サービスの利用条件であり、サーバ装置に蓄積された、前記蓄電池パックの状態を示す情報の更新期限を経過していないこと、または前記更新期限までに前記蓄電池パックの状態を示す情報を前記サーバ装置に送信することを含む。
また、本開示の他の一態様に係る蓄電池パックは、蓄電池と、前記蓄電池と外部機器との間の電気的な接続のオン／オフを切り替える停止器と、前記蓄電池パックの利用状況が利用条件を満たさないとき、前記停止器を制御して前記蓄電池と外部機器との間の電気的な接続を遮断する制御器と、を備え、前記利用条件は、前記蓄電池パックの貸与サービスの利用条件であり、所定期間内に前記蓄電池パックの推奨使用量以上、前記蓄電池パックを使用することを含む。
【０００７】
なお、これらの包括的又は具体的な態様は、システム、方法、集積回路、コンピュータプログラム又はコンピュータ読み取り可能なＣＤ−ＲＯＭなどの記録媒体で実現されてもよく、システム、方法、集積回路、コンピュータプログラム及び記録媒体の任意な組み合わせで実現されてもよい。
【発明の効果】
【０００８】
本開示の一態様に係る蓄電池パック及び蓄電池パックの制御方法は、蓄電池パックの不適切な利用を抑制することができる。
【図面の簡単な説明】
【０００９】
【図１】図１は、実施の形態における貸与システムによって提供される貸与サービスの全体像を示す図である。
【図２】図２は、実施の形態に係る蓄電池パックの構成を示すブロック図である。
【図３】図３は、実施の形態に係る貸与システムにおける蓄電池パックの貸与処理を示す図である。
【図４】図４は、実施の形態における第１管理テーブルの一例を示す図である。
【図５】図５は、実施の形態における第２管理テーブルの一例を示す図である。
【図６】図６は、実施の形態に係る貸与システムにおける状態情報の送信処理を示す図である。
【図７】図７は、実施の形態に係る貸与システムにおける蓄電池パックの利用停止処理を示す図である。
【図８】図８は、実施の形態に係る蓄電池パックにおける利用停止処理を示すフローチャートである。
【図９】図９は、実施の形態に係る貸与システムにおける蓄電池パックの返却処理を示す図である。
【発明を実施するための形態】
【００１０】
本開示の一態様に係る蓄電池パックは、蓄電池と、前記蓄電池と外部機器との間の電気的な接続のオン／オフを切り替える停止器と、前記蓄電池パックの利用状況が利用条件を満たさないとき、前記停止器を制御して前記蓄電池パックと外部機器との間の電気的な接続を遮断する制御器と、を備える。
【００１１】
この構成によれば、蓄電池パックの利用状況が蓄電池パックの貸与サービスの利用条件を満たさないときに蓄電池パックの利用を停止させることができる。つまり、蓄電池パックの利用に関するルールが守られなければ、利用者にペナルティを科すことができる。そのため、蓄電池パックの利用状況が利用条件を満たさなくなることを抑制することができ、蓄電池パックの不適切な利用を抑制することができる。
【００１２】
例えば、前記制御器は、前記停止器を制御して前記蓄電池と前記外部機器との間の電気的な接続を遮断する状態を維持することで前記蓄電池の放電を許可しなくてもよい。
【００１３】
この構成によれば、蓄電池パックの利用状況が蓄電池パックの貸与サービスの利用条件を満たさないときに、蓄電池パックの放電中に放電を停止し、その後、放電開始要求があっても放電開始を許可しないことができる。つまり、蓄電池パックの利用に関するルールが守られなければ、放電中の蓄電池パックの放電を停止することができる。蓄電池パックが装着された電気機器の利用が厳しく制限されるため、蓄電池パックの不適切な利用を強く抑制することが可能となる。
【００１４】
例えば、前記制御器は、前記蓄電池パックの放電中は、前記停止器を制御して前記蓄電池と前記外部機器との間の電気的な接続を維持してもよい。
【００１５】
この構成によれば、蓄電池パックの利用状況が蓄電池パックの貸与サービスの利用条件を満たさないときに、蓄電池パックの放電中に放電を停止させずに、蓄電池パックの放電開始要求があっても放電開始を許可しないことができる。つまり、蓄電池パックの利用に関するルールが守られなければ、蓄電池パックの次回からの放電を禁止することができる。したがって、蓄電池パックの放電中に放電を停止することで電気機器の利用者に危険が生じることを防ぎつつ、蓄電池パックの不適切な利用を抑制することができる。
【００１６】
例えば、前記制御器は、前記停止器を制御して前記蓄電池と前記外部機器との間の電気的な接続を遮断する状態を維持することで前記蓄電池の充電を許可しなくてもよい。
【００１７】
この構成によれば、蓄電池パックの利用状況が蓄電池パックの貸与サービスの利用条件を満たさないときに、蓄電池パックの充電要求があっても充電を許可しないことができる。つまり、蓄電池パックの利用に関するルールが守られなければ、蓄電池パックの充電を禁止することができる。言い換えると、蓄電池パックに既に蓄えられている電力の放電は許可されるので、ゆるやかに蓄電池パックの放電の停止に導くことができる。したがって、利用者の利便性の低下を防ぎつつ、蓄電池パックの不適切な利用を抑制することができる。
【００１８】
例えば、前記利用条件は、前記蓄電池パックの貸与サービスの利用条件であり、前記蓄電池パックの返却期限を経過していないこと、または前記返却期限までに前記蓄電池パックを返却することを含んでもよい。
【００１９】
この構成によれば、蓄電池パックの返却期限までに蓄電池パックを返却することを利用条件として用いることができる。したがって、蓄電池パックが返却期限までに返却されないことを抑制することができる。
【００２０】
例えば、前記利用条件は、前記蓄電池パックの貸与サービスの利用条件であり、前記蓄電池パックの返却期限を経過していないこと、前記返却期限までに前記蓄電池パックを返却すること、または前記返却期限を経過して返却していなくても所定期間内に前記蓄電池パックの推奨使用量以上、前記蓄電池パックを使用することを含んでもよい。
【００２１】
この構成によれば、推奨使用量以上使用する利用者は、返却期限が過ぎても利用停止されないため、返却する手間を軽減されて使用継続できるので、蓄電池パックの使用を促進することができる。
【００２２】
例えば、前記利用条件は、前記蓄電池パックの貸与サービスの利用条件であり、前記蓄電池パックの更新期限を経過していないこと、または前記更新期限までに前記蓄電池パックの状態を示す情報をサーバ装置に送信することを含んでもよい。
【００２３】
この構成によれば、蓄電池パックの更新期限までに蓄電池パックの状態を示す情報をサーバ装置に送信することを利用条件として用いることができる。したがって、蓄電池パックの状態を示す情報が更新期限までに送信されないことを抑制することができる。
【００２４】
例えば、前記利用条件は、前記蓄電池パックの貸与サービスの利用条件であり、所定期間内に前記蓄電池パックの推奨使用量以上、前記蓄電池パックを使用することを含んでもよい。
【００２５】
この構成によれば、所定期間内に蓄電池パックの推奨使用量以上、蓄電池パックを使用することを利用条件として用いることができる。したがって、貸与された蓄電池パックが少ししか使用されないことを抑制することができる。つまり、蓄電池パックの使用を促進することができる。
【００２６】
例えば、前記利用条件は、前記蓄電池パックの利用者が前記蓄電池パックの利用料として使用可能なポイントを、前記蓄電池パックの利用に必要なポイント数以上保有していることであってもよい。
【００２７】
この構成によれば、利用者が蓄電池パックの利用料として使用可能なポイントを、蓄電池パックの利用に必要なポイント数以上保有していることを利用条件として用いることができる。したがって、蓄電池パックの利用料としてポイントが使用されるときに、ポイント不足によって利用料が支払えなくなることを抑制することができる。
【００２８】
例えば、前記ポイントの使用期限を超過すると、前記ポイントは失効してもよい。
【００２９】
この構成によれば、ポイントの使用期限を超過するとポイントを失効させることができ、ポイント管理を適切に行うことができる。
【００３０】
例えば、前記蓄電池パックは、さらに、前記利用者に対して警告を発する警告器を備え、前記制御器は、前記停止器を制御して前記蓄電池と外部機器との間の電気的な接続を遮断する以前に、前記警告器を制御して前記利用者に警告を発してもよい。
【００３１】
この構成によれば、蓄電池パックの利用を停止させる以前に利用者に警告を発することができる。したがって、蓄電池パックの利用状況が蓄電池パックの貸与サービスの利用条件を満たさなくなる前に、蓄電池パックの利用状況を改善することができ、蓄電池パックの不適切な利用を抑制することができる。
【００３２】
例えば、前記蓄電池パックは、さらに、前記利用者に対して警告を発する警告器を備え、前記制御器は、前記停止器を制御して前記蓄電池と外部機器との間の電気的な接続を遮断する以前に、前記警告器を制御して記蓄電池パックの放電開始要求があったときに放電開始を待機させることにより前記利用者に警告を発してもよい。
【００３３】
この構成によれば、蓄電池パックの放電開始要求があったときに放電開始を待機させることを警告として利用することができ、利用者に警告をより確実に伝えることが可能となる。
【００３４】
例えば、前記蓄電池パックは、さらに、サーバ装置から情報端末を介して情報を取得する第１通信器を備え、前記制御器は、前記第１通信器が前記利用状況が前記利用条件を満たしていないことを示す情報を取得すると、前記停止器を制御して前記蓄電池と外部機器との間の電気的な接続を遮断してもよい。
【００３５】
この構成によれば、サーバ装置から情報端末及び第１通信器を介して、利用状況が利用条件を満たしていないことを示す情報を取得することができる。つまり、蓄電池パックは、情報端末の通信機能を利用してサーバ装置から情報を取得することが可能となる。その結果、蓄電池パックが情報端末を介さずにサーバ装置から情報を受信する場合よりも、サーバ装置からの情報の取得をより低消費電力で実現することができる。これは、ＬＴＥ等の長距離の無線通信を用いてサーバ装置と直接通信する場合に比べ、Ｂｌｕｅｔｏｏｔｈ（登録商標）等の近距離無線通信を用いて情報端末と通信する方が通信に要する電力が少ないからである。
【００３６】
例えば、前記第１通信器は、近距離無線通信によって前記情報端末と通信してもよい。
【００３７】
この構成によれば、第１通信器は近距離無線通信によって情報端末と通信することができる。したがって、スマートフォンなどの情報端末が一般的に有する近距離無線通信機能を利用して、サーバ装置からの情報の取得をより簡易に実現することができる。
【００３８】
例えば、前記蓄電池パックは、さらに、サーバ装置から無線通信によって情報を取得する第２通信器を備え、前記制御器は、前記第２通信器が前記サーバ装置から前記利用状況が前記利用条件を満たしていないことを示す情報を取得すると、前記停止器を制御して前記蓄電池と外部機器との間の電気的な接続を遮断してもよい。
【００３９】
この構成によれば、サーバ装置から第２通信器を介して、利用状況が利用条件を満たしていないことを示す情報を取得することができる。つまり、蓄電池パックは、情報端末を介さずにサーバ装置から情報を取得することが可能となる。したがって、蓄電池パックが情報端末と通信できないときにもサーバ装置から情報を取得することができ、サーバ装置からの情報の取得をより確実に行うことができる。
【００４０】
なお、これらの包括的又は具体的な態様は、システム、方法、集積回路、コンピュータプログラム又はコンピュータ読み取り可能なＣＤ−ＲＯＭなどの記録媒体で実現されてもよく、システム、方法、集積回路、コンピュータプログラム及び記録媒体の任意な組み合わせで実現されてもよい。
【００４１】
（実施の形態）
以下、実施の形態について、図面を参照しながら具体的に説明する。
【００４２】
なお、以下で説明する実施の形態は、いずれも包括的又は具体的な例を示すものである。以下の実施の形態で示される数値、形状、材料、構成要素、構成要素の配置位置及び接続形態、ステップ、ステップの順序などは、一例であり、請求の範囲を限定する主旨ではない。また、以下の実施の形態における構成要素のうち、最上位概念を示す独立請求項に記載されていない構成要素については、任意の構成要素として説明される。
【００４３】
なお、各図は模式図であり、必ずしも厳密に図示されたものではない。また、各図において、実質的に同一の構成に対しては同一の符号を付しており、重複する説明は省略又は簡略化される場合がある。
【００４４】
［貸与サービスの全体像］
図１は、実施の形態における貸与システムによって提供される貸与サービスの全体像を示す図である。
【００４５】
管理センタ１０は、利用者１００に対する蓄電池パック５０の貸与サービスの管理を行う。管理センタ１０は、サーバ装置１１を備える。
【００４６】
サーバ装置１１は、後述するサービスセンタ２０の処理装置２１、及び、蓄電池パック５０と、ネットワークを介して通信を行い、利用者１００及び蓄電池パック５０のデータ管理を行う。サーバ装置１１は、例えば、クラウドサーバである。
【００４７】
サービスセンタ２０では、利用者１００に蓄電池パック５０が貸与され、貸与された蓄電池パック５０が利用者１００から返却される。また、サービスセンタ２０では、蓄電池パック５０の検査、及び、蓄電池パック５０の充電が行われる。サービスセンタ２０は、処理装置２１と、カードリーダ２２と、検査装置２３と、中継装置２４と、を備える。
【００４８】
処理装置２１は、管理センタ１０のサーバ装置１１とネットワークを介して通信を行い、貸与サービスのためのデータ処理を行う。例えば、処理装置２１は、蓄電池パック５０の貸与及び返却の際に、利用者１００の識別子及び蓄電池パック５０の識別子をサーバ装置１１に送信する。
【００４９】
カードリーダ２２は、会員カードから利用者１００の識別子を読み出し、処理装置２１に出力する。会員カード及びカードリーダ２２は、例えばＩＣカード及びＩＣカードリーダである。
【００５０】
会員カードは、貸与サービスの会員である利用者１００を識別するための識別子を記憶している。会員カードは、利用者１００が会員として登録されることによって、貸与サービスを運営する事業者から利用者１００に与えられる。以下において、会員カードに記憶された識別子を会員ＩＤと表現する。
【００５１】
検査装置２３は、蓄電池パック５０から蓄電池パック５０の識別子を取得し、処理装置２１に出力する。以下において、蓄電池パックの識別子を蓄電池パックＩＤと表現する。
【００５２】
検査装置２３は、さらに、利用者１００から返却された蓄電池パック５０の検査を行い、検査結果を処理装置２１に出力する。例えば、検査装置２３は、蓄電池パック５０の放電能力及び充電能力を検査する。
【００５３】
中継装置２４は、処理装置２１とサーバ装置１１との間の通信を中継する。中継装置２４は、例えばルータである。
【００５４】
電気機器３０は、蓄電池パック５０を装着可能な電力を消費する負荷装置である。具体的には、電気機器３０は、例えば、電動自転車、電動スクータ、電気自動車である。なお、電気機器３０は、輸送用機器に限定されない。サービスセンタ２０で貸与された蓄電池パック５０は、電気機器３０に装着される。これにより、蓄電池パック５０から電気機器３０に電力が供給される。
【００５５】
情報端末４０は、蓄電池パック５０とサーバ装置１１との間の通信を中継する。情報端末４０は、例えばスマートフォンである。情報端末４０は、蓄電池パック５０から受信したデータをサーバ装置１１に転送する。また、情報端末４０は、サーバ装置１１から受信したデータを蓄電池パック５０に転送する。
【００５６】
蓄電池パック５０は、電気機器３０に装着されたときに放電を行うことで電気機器３０に電力を供給する。また、蓄電池パック５０は、充電器（図示せず）に接続されたときに充電を行うことで電力を蓄える。
【００５７】
［蓄電池パックの構成］
ここで、実施の形態に係る蓄電池パックの詳細な構成について図２を参照しながら具体的に説明する。図２は、実施の形態に係る蓄電池パック５０の構成を示すブロック図である。蓄電池パック５０は、蓄電池５１と、通信器５２と、複数の端子５３と、入出力器５４と、制御器５５と、記憶器５６と、警告器５７と、を備える。
【００５８】
蓄電池５１は、二次電池とも呼ばれ、充電及び放電が可能な電池である。蓄電池５１は、例えば、リチウムイオン電池、リチウムイオンポリマー電池、ニッケル水素電池である。
【００５９】
通信器５２は、情報端末４０と通信する第１通信器の一例である。本実施の形態では、通信器５２は、近距離無線通信によって情報端末４０と通信する。具体的には、通信器５２は、例えば、近距離無線通信のための通信アダプタである。
【００６０】
近距離無線通信は、例えば、Ｂｌｕｅｔｏｏｔｈ（登録商標）である。なお、近距離無線通信は、特に限定される必要はなく、例えば無線ＬＡＮ、赤外線通信などであってもよい。
【００６１】
複数の端子５３は、外部機器との電気的な接続点であり、蓄電池パック５０と外部機器と物理的及び電気的に接続する接続器（図示せず）に設けられる。複数の端子５３は、放電端子５３ａと、充電端子５３ｂと、通信端子５３ｃと、ＩＤ端子５３ｄと、グランド端子５３ｅと、を含む。外部機器とは、蓄電池パック５０の外部の機器であり、例えば、電気機器３０、検査装置２３、充電器（図示せず）などである。上記接続器は、上記複数の端子５３を全て備えなくてもよく、少なくとも放電端子５３ａ及び充電端子５３ｂを備えればよい。また、上記接続器は、外部機器に対して着脱可能に接続する。
【００６２】
放電端子５３ａは、入出力器５４を介して蓄電池５１と接続されており、蓄電池５１の放電のための端子である。つまり、蓄電池パック５０は、放電端子５３ａを介して、外部機器に電力を供給する。
【００６３】
充電端子５３ｂは、入出力器５４を介して蓄電池５１と接続されており、蓄電池５１の充電のための端子である。つまり、蓄電池パック５０は、充電端子５３ｂを介して、蓄電池５１に電力を蓄える。
【００６４】
通信端子５３ｃは、外部機器と通信するための端子である。例えば、蓄電池パック５０は、通信端子５３ｃを介して、記憶器５６に記憶された蓄電池パックＩＤを検査装置２３に送信する。
【００６５】
ＩＤ端子５３ｄは、外部機器の種別を識別するための端子である。例えば、蓄電池パック５０は、外部機器の端子がＩＤ端子５３ｄに接続されたときに、ＩＤ端子５３ｄがグランド接続されているか否かに基づいて、外部機器が負荷装置であるか否かを判定する。
【００６６】
グランド端子５３ｅは、グランド接続される端子である。
【００６７】
入出力器５４は、蓄電池パック５０の利用を停止する停止器の一例である。入出力器５４は、外部機器と蓄電池５１との間の電気的な接続のオン／オフを切り替える。具体的には、入出力器５４は、放電端子５３ａと蓄電池５１との間の経路の導通及び非導通を切り替えるスイッチを含む。さらに、入出力器５４は、充電端子５３ｂと蓄電池５１との間の経路の導通及び非導通を切り替えるスイッチを含む。スイッチは、例えば、電界効果トランジスタ（ＦＥＴ）によって実現される。
【００６８】
制御器５５は、入出力器５４を制御することにより蓄電池５１の充電及び放電を制御する。また、制御器５５は、通信器５２を制御して、情報端末４０との通信を制御する。
【００６９】
なお、制御器５５は、制御機能を備えるものであればよく、どのように実現されてもよい。例えば、制御器５５は、専用のハードウェアで構成されてもよい。また例えば、制御器５５は、各構成要素に適したソフトウェアプログラムを実行することによって実現されてもよい。この場合、制御器５５は、例えば、演算処理部（図示せず）と制御プログラムを記憶する記憶部（図示せず）とを備えてもよい。演算処理部としては、ＭＰＵ（Micro Processing Unit）、ＣＰＵ（Central Processing Unit）が例示される。記憶部としては、メモリが例示される。なお、制御器５５は、集中制御を行う単独の制御器で構成されていてもよく、互いに協働して分散制御を行う複数の制御器で構成されていてもよい。
【００７０】
本実施の形態では、制御器５５は、蓄電池パック５０の利用状況が蓄電池パック５０の貸与サービスの利用条件を満たさないとき、入出力器５４を制御して蓄電池パック５０の利用を停止させる。蓄電池パック５０の利用の停止とは、蓄電池パック５０の充電及び放電の少なくとも一方を禁止することである。つまり、制御器５５は、蓄電池パック５０の利用状況に応じて利用者１００に、充電及び／又は放電の禁止のペナルティを科す。この処理の詳細については、図８を用いて後述する。
【００７１】
記憶器５６は、例えば、半導体メモリ、ハードディスクドライブなどであり、会員ＩＤ、蓄電池パックＩＤまたはポイント数を含むデータ、及び蓄電池パック５０の状態または利用状況を示す情報を記憶するとよい。本実施の形態では、記憶器５６は、蓄電池パックＩＤを記憶している。さらに、記憶器５６は、蓄電池パック５０の状態を示す情報を記憶している。以下において、蓄電池パック５０の状態を示す情報を状態情報と表す。この蓄電池パック５０の状態情報は、通信器５２及び情報端末４０を介してサーバ装置１１に送信される。
【００７２】
蓄電池パック５０の状態情報としては、蓄電池パック５０の使用量、充電回数、放電回数、学習容量及び使用温度などが例示される。また、蓄電池パック５０の状態情報には、温度異常、電流異常、電圧異常及び衝撃異常などの異常履歴情報が含まれてもよい。
【００７３】
警告器５７は、利用者１００に対して警告を発する。例えば、警告器５７は、音を発することにより利用者１００に対して警告を発するスピーカーであってもよい。また例えば、警告器５７は、光を発することにより利用者１００に対して警告を発するランプであってもよい。また例えば、警告器５７は、蓄電池パック５０の放電開始要求があったときに放電開始を待機させることにより警告を発してもよい。
【００７４】
［貸与システムの処理］
次に、以上のように構成された貸与システムの処理について図３〜図９を参照しながら具体的に説明する。
【００７５】
［蓄電池パックの貸与処理］
まず、図３〜図５を参照しながら、蓄電池パック５０の貸与処理について説明する。図３は、実施の形態に係る貸与システムにおける蓄電池パック５０の貸与処理を示す図である。
【００７６】
利用者１００は、貸与サービスを利用する際、サービスセンタ２０において会員カードを提示する。処理装置２１は、カードリーダ２２を介して、会員カードから会員ＩＤを読み出す（Ｓ１１）。さらに、処理装置２１は、検査装置２３を介して、貸与される蓄電池パック５０から蓄電池パックＩＤを読み出す（Ｓ１２）。このとき、検査装置２３は、蓄電池パック５０の検査を行ってもよい。
【００７７】
そして、処理装置２１は、貸与データをサーバ装置１１に送信する（Ｓ１３）。貸与データは、少なくとも会員ＩＤ及び蓄電池パックＩＤを含む。処理装置２１は、さらに、蓄電池パック５０の利用料として使用可能なポイントに関するポイントデータを送信してもよい。ポイントデータは、例えば、会員ＩＤと、当該会員ＩＤに対応するポイントを増加させるためのポイント数とを含む。ポイント数は、利用者１００から支払われた金額に対応する。
【００７８】
サーバ装置１１は、処理装置２１から貸与データを受信し、貸与データを管理テーブルに登録する（Ｓ１４）。管理テーブルは、サーバ装置１１のデータベース（図示せず）に含まれる。本実施の形態では、サーバ装置１１のデータベースは、蓄電池パックの貸与管理のための第１管理テーブル１１ａと、ポイント管理のための第２管理テーブル１１ｂと、を含む。
【００７９】
ここで、第１管理テーブル１１ａ及び第２管理テーブル１１ｂの例を図４及び図５を参照しながら具体的に説明する。図４は、実施の形態における第１管理テーブル１１ａの一例を示す図である。図５は、実施の形態における第２管理テーブル１１ｂの一例を示す図である。
【００８０】
第１管理テーブル１１ａは、図４に示すように、会員ＩＤ、蓄電池パックＩＤ、返却期限、返却日、更新期限、使用量及び使用温度のフィールドを有する。
【００８１】
会員ＩＤ及び蓄電池パックＩＤのフィールドには、蓄電池パック５０の蓄電池パックＩＤと当該蓄電池パック５０が貸与された利用者１００の会員ＩＤとが対応付けて登録される。本実施の形態では、貸与データが受信されたときに第１管理テーブル１１ａに新たなレコードが生成され、貸与データに含まれる会員ＩＤ及び蓄電池パックＩＤが当該レコードに登録される。
【００８２】
返却期限のフィールドには、貸与された蓄電池パック５０の返却期限日が登録される。例えば、会員ＩＤ及び蓄電池パックＩＤが登録される際に返却期限のフィールドに貸与期間に基づく返却期限日が登録される。貸与期間は、例えば、貸与データに含まれてもよいし、予め定められた固定期間であってもよい。
【００８３】
返却日のフィールドには、貸与された蓄電池パック５０が返却された日が登録される。まだ蓄電池パック５０が返却されていない場合は、返却日のフィールドには有効な日が登録されない。
【００８４】
更新期限のフィールドには、蓄電池パック５０からサーバ装置１１に、蓄電池パック５０の状態情報が送信されるべき期限日が登録される。更新期限のフィールドは、例えば、サーバ装置１１が蓄電池パック５０から状態情報を受信したときに予め定められた更新期間に基づいて更新される。
【００８５】
使用量のフィールドには、貸与された蓄電池パック５０の所定期間内の使用量が登録される。使用量とは、蓄電池パック５０の使用を定量的に表す値である。例えば、使用量は、蓄電池パック５０から電気機器３０に提供された電力量である。なお、使用量は、電力量に限定されず、例えば、蓄電池パック５０の貸与中の充電回数であってもよい。この使用量のフィールドは、サーバ装置１１が蓄電池パック５０から状態情報を受信したときに当該状態情報が示す使用量に基づいて更新される。
【００８６】
使用温度のフィールドには、貸与された蓄電池パック５０が使用されているときの蓄電池パック５０の温度が登録される。ここでは、使用温度は、温度範囲によって表される。例えば、使用温度は、蓄電池パック５０の使用時の最高温度がどの温度範囲に含まれるかを示す。使用温度のフィールドは、サーバ装置１１が蓄電池パック５０から状態情報を受信したときに当該状態情報が示す温度に基づいて必要に応じて更新される。
【００８７】
第２管理テーブル１１ｂは、図５に示すように、会員ＩＤ、ポイント及び使用期限のフィールドを有する。
【００８８】
会員ＩＤ及びポイントのフィールドには、利用者１００の会員ＩＤと蓄電池パック５０の利用料として使用可能なポイント数とが対応付けて登録される。例えば、ポイントデータが受信されたときに、当該ポイントデータに含まれるポイント数だけ増加される。
【００８９】
使用期限のフィールドには、ポイントの使用期限日が登録される。ポイントの使用期限を超過すると、ポイントは失効する。つまり、ポイントの使用期限日を超過すると、ポイントはゼロになる。使用期限日は、予め定められた規則に従って更新される。
【００９０】
［蓄電池パックの状態情報の送信処理］
次に、図６を参照しながら、蓄電池パック５０の状態情報の送信処理について説明する。図６は、実施の形態に係る貸与システムにおける状態情報の送信処理を示す図である。ここでは、蓄電池パック５０の記憶器５６には、蓄電池パック５０の状態情報が一時的に蓄積されているとする。この送信処理は、例えば、蓄電池パック５０における放電開始、放電終了、充電開始、及び充電終了などのタイミングで行われてもよい。また例えば、送信処理は、予め定められた周期で行われてもよい。
【００９１】
まず、蓄電池パック５０の制御器５５は、蓄電池パック５０の記憶器５６から蓄電池パックＩＤ及び状態情報を読み出し、読み出した蓄電池パックＩＤ及び状態情報を、通信器５２を介して情報端末４０に送信する（Ｓ２１）。情報端末４０は、蓄電池パック５０から受信した蓄電池パックＩＤ及び状態情報をサーバ装置１１に送信する。これにより、蓄電池パック５０からサーバ装置１１に蓄電池パックＩＤ及び状態情報が送信される。ここでは、状態情報は、少なくとも使用量及び使用温度を含む。
【００９２】
サーバ装置１１は、蓄電池パック５０から蓄電池パックＩＤ及び状態情報を受信すると、当該蓄電池パックＩＤに対応付けて当該状態情報を蓄積する（Ｓ２２）。
【００９３】
そして、サーバ装置１１は、受信された蓄電池パックＩＤ及び状態情報に基づいて、第１管理テーブル１１ａ及び第２管理テーブル１１ｂを更新する（Ｓ２３）。具体的には、サーバ装置１１は、状態情報に含まれる使用量及び使用温度に基づいて、第１管理テーブル１１ａに含まれる使用量及び使用温度であって蓄電池パックＩＤに対応する使用量及び使用温度を更新する。さらに、サーバ装置１１は、第１管理テーブル１１ａを参照して、受信された蓄電池パックＩＤに対応する会員ＩＤを特定する。そして、サーバ装置１１は、状態情報に含まれる使用量に基づいて、第２管理テーブル１１ｂに含まれるポイント数であって、特定された会員ＩＤに対応するポイント数を更新する。具体的には、サーバ装置１１は、第２管理テーブル１１ｂに含まれるポイント数から、使用量に対応するポイント数を減算する。
【００９４】
［蓄電池パックの利用停止処理］
次に、図７及び図８を参照しながら、蓄電池パック５０の利用停止処理について説明する。図７は、実施の形態に係る貸与システムにおける蓄電池パック５０の利用停止処理を示す図である。この利用停止処理は、例えば、予め定められた周期で行われてもよい。また例えば、利用停止処理は、蓄電池パック５０における放電開始、放電終了、充電開始、及び充電終了などのタイミングで行われてもよい。
【００９５】
まず、サーバ装置１１は、蓄電池パック５０の利用状況が蓄電池パック５０の貸与サービスの利用条件を満たすか否かを判定する（Ｓ３１）。本実施の形態では、利用条件として、第１利用条件〜第４利用条件が用いられる。サーバ装置１１は、判定結果を示す情報を、情報端末４０を介して蓄電池パック５０に送信する。
【００９６】
蓄電池パック５０は、サーバ装置１１から受信した判定結果を示す情報に応じて、警告又は利用停止の処理を実行する（Ｓ３２）。
【００９７】
ここで、警告又は利用停止の処理の詳細について図８を参照しながら説明する。図８は、実施の形態に係る蓄電池パック５０における利用停止処理を示すフローチャートである。
【００９８】
蓄電池パック５０の利用状況が第１利用条件を満たしていなければ（Ｓ１０１のＮｏ）、制御器５５は、蓄電池５１が放電中か否かを判定する（Ｓ１０２）。つまり、制御器５５は、サーバ装置１１から情報端末４０及び通信器５２を介して、蓄電池パック５０の利用状況が第１利用条件を満たしていないことを示す情報を取得すると、蓄電池５１が放電中か否かを判定する。
【００９９】
本実施の形態では、第１利用条件は、蓄電池パック５０の返却期限までに蓄電池パック５０を返却することである。つまり、第１利用条件は、蓄電池パック５０の返却期限を守ることである。
【０１００】
例えば、現在日が貸与中の蓄電池パック５０の返却期限日を超過していれば、蓄電池パック５０の利用状況が第１利用条件を満たしていないと判定される。言い換えれば、蓄電池パック５０の返却期限の時点で蓄電池パック５０が返却されていなければ、蓄電池パック５０の利用状況が利用条件を満たしていないと判定される。逆に、現在日が貸与中の蓄電池パック５０の返却期限日以前であれば、蓄電池パック５０の利用状況が第１利用条件を満たしていると判定される。または、蓄電池パック５０の返却期限以前に蓄電池パック５０が返却されたとき、すなわち返却日が蓄電池パック５０の返却期限以前であるとき、蓄電池パック５０の利用状況が利用条件を満たしていると判定してもよい。このとき、第１利用条件の判定には、例えば、第１管理テーブル１１ａの返却期限のフィールドが参照される。
【０１０１】
ここで、蓄電池パック５０が放電中であれば（Ｓ１０２のＹｅｓ）、制御器５５は、入出力器５４を制御して蓄電池パック５０の放電を停止する（Ｓ１０３）。そして、制御器５５は、入出力器５４を制御して蓄電池パック５０の放電開始を禁止する（Ｓ１０４）。つまり、制御器５５は、入出力器５４を制御して蓄電池パック５０の放電を停止し、その後、蓄電池パック５０の放電開始要求があっても蓄電池パック５０の放電開始を許可しない。一方、蓄電池パック５０が放電中でなければ（Ｓ１０２のＮｏ）、制御器５５は、入出力器５４を制御して蓄電池パック５０の放電開始を禁止する（Ｓ１０４）。
【０１０２】
蓄電池パック５０の利用状況が第１利用条件を満たしており（Ｓ１０１のＹｅｓ）、かつ、蓄電池パック５０の利用状況が第２利用条件を満たしていなければ（Ｓ１０５のＮｏ）、制御器５５は、蓄電池パック５０の放電開始を禁止する（Ｓ１０４）。つまり、制御器５５は、サーバ装置１１から情報端末４０及び通信器５２を介して、蓄電池パック５０の利用状況が第２利用条件を満たしていないことを示す情報を取得すると、蓄電池パック５０の放電開始要求があっても蓄電池パック５０の放電開始を許可しない。言い換えれば、制御器５５は、蓄電池パック５０の利用状況が、第２利用条件を満たしていなくても第１利用条件を満たしていれば、蓄電池パック５０の放電中に放電を停止しない。
【０１０３】
本実施の形態では、第２利用条件は、蓄電池パック５０の更新期限までに蓄電池パック５０の状態情報をサーバ装置１１に送信することである。つまり、第２利用条件は、蓄電池パック５０の状態情報の更新期限を守ることである。
【０１０４】
例えば、現在日が貸与中の蓄電池パック５０の更新期限日を超過していれば、蓄電池パック５０の利用状況が第２利用条件を満たしていないと判定される。言い換えれば、蓄電池パック５０の更新期限の時点で蓄電池パック５０の状態を示す情報がサーバ装置１１に送信されていなければ、蓄電池パック５０の利用状況が利用条件を満たしていないと判定される。逆に、現在日が貸与中の蓄電池パック５０の更新期限日以前であれば、蓄電池パック５０の利用状況が第２利用条件を満たしていると判定される。または、蓄電池パック５０の更新期限以前に蓄電池パック５０の状態を示す情報がサーバ装置１１送信されたとき、すなわち更新日が蓄電池パック５０の更新期限以前であるとき、蓄電池パック５０の利用状況が利用条件を満たしていると判定してもよい。このとき、第２利用条件の判定には、例えば、第１管理テーブル１１ａの更新期限のフィールドが参照される。
【０１０５】
なお、更新期限は、蓄電池パック５０の状態情報がサーバ装置１１に送信されたときに更新されてもよい。つまり、サーバ装置１１が蓄電池パック５０の状態情報を受信したときに、未来の新たな更新期限日に更新期限が更新されてもよい。この場合、第２利用条件が満たされていないと判定された後に、蓄電池パック５０の状態情報がサーバ装置１１に送信されれば、その後、現在日が新たな更新期限日を超えるまでは第２利用条件が満たされていると判定される。
【０１０６】
蓄電池パック５０の利用状況が第２利用条件を満たしており（Ｓ１０５のＹｅｓ）、かつ、蓄電池パック５０の利用状況が第３利用条件を満たしていなければ（Ｓ１０６のＮｏ）、制御器５５は、入出力器５４を制御して蓄電池パック５０の充電を禁止する（Ｓ１０７）。つまり、制御器５５は、サーバ装置１１から情報端末４０及び通信器５２を介して、蓄電池パック５０の利用状況が第３利用条件を満たしていないことを示す情報を取得すると、蓄電池パック５０の充電要求があっても蓄電池パック５０の充電を許可しない。
【０１０７】
本実施の形態では、第３利用条件は、所定期間内に蓄電池パック５０の推奨使用量以上、蓄電池パック５０を使用することである。言い換えれば、第３利用条件は、蓄電池パック５０の所定期間内の使用量が推奨使用量以上であることである。所定期間は、予め定められた時間幅を有する期間であり、特に限定されない。推奨使用量は、蓄電池パック５０の使用を促進するために推奨される使用量である。
【０１０８】
例えば、貸与中の蓄電池パック５０の所定期間内における使用量が推奨使用量未満であれば、蓄電池パック５０の利用状況が第３利用条件を満たしていないと判定される。逆に、貸与中の蓄電池パック５０の所定期間内における使用量が推奨使用量以上であれば、蓄電池パック５０の利用状況が第３利用条件を満たしていると判定される。このとき、第３利用条件の判定には、例えば、第１管理テーブル１１ａの使用量のフィールドが参照される。
【０１０９】
なお、第３利用条件は、利用者１００が蓄電池パック５０の利用料として使用可能なポイントを、蓄電池パック５０の利用に必要なポイント数以上保有していることであってもよい。蓄電池パック５０の利用に必要なポイント数は、ゼロよりも大きい数である。例えば、蓄電池パック５０の利用に必要なポイント数は、第１管理テーブル１１ａの使用量に対応するポイント数である。また例えば、蓄電池パック５０の利用に必要なポイント数は、ゼロよりも大きい予め定められたポイント数であってもよい。
【０１１０】
この場合、例えば、利用者１００が保有しているポイント数が蓄電池パック５０の利用に必要なポイント数未満であれば、蓄電池パック５０の利用状況が第３利用条件を満たしていないと判定される。逆に、利用者１００が保有しているポイント数が蓄電池パック５０の利用に必要なポイント数以上であれば、蓄電池パック５０の利用状況が第３利用条件を満たしていると判定される。このとき、第３利用条件の判定には、例えば、第２管理テーブル１１ｂが参照される。
【０１１１】
蓄電池パック５０の利用状況が第３利用条件を満たしており（Ｓ１０６のＹｅｓ）、かつ、蓄電池パック５０の利用状況が第４利用条件を満たしていなければ（Ｓ１０８のＮｏ）、制御器５５は、警告器５７を制御して利用者１００に警告を発し（Ｓ１０９）、充放電を許可する（Ｓ１１０）。つまり、制御器５５は、サーバ装置１１から情報端末４０及び通信器５２を介して、蓄電池パック５０の利用状況が第４利用条件を満たしていないことを示す情報を取得すると、利用者１００に警告を発する。警告は、例えば、蓄電池パック５０の放電開始要求があったときに放電開始を待機させることである。蓄電池パック５０の利用状況が第４利用条件を満たしていれば（Ｓ１０８のＹｅｓ）、制御器５５は、警告を発することなく充放電を許可する（Ｓ１１０）。
【０１１２】
本実施の形態では、第４利用条件は、蓄電池パック５０の更新期限の所定期間前までに蓄電池パック５０の状態情報をサーバ装置１１に送信することである。この場合、第２利用条件が満たされなくなる前に、第４利用条件が満たされなくなる。したがって、制御器５５は、蓄電池パック５０の放電開始を禁止する以前に利用者１００に警告を発することができる。つまり、制御器５５は、入出力器５４を制御して蓄電池パック５０の利用を停止させる以前に、警告器５７を制御して利用者１００に警告を発することができる。
【０１１３】
［蓄電池パックの返却処理］
次に、図９を参照しながら、蓄電池パック５０の返却処理について説明する。図９は、実施の形態に係る貸与システムにおける蓄電池パック５０の返却処理を示す図である。
【０１１４】
利用者１００は、蓄電池パック５０を返却する際、サービスセンタ２０において会員カードを提示する。処理装置２１は、カードリーダ２２を介して、会員カードから会員ＩＤを読み出す（Ｓ４１）。さらに、処理装置２１は、検査装置２３を介して、返却される蓄電池パック５０から蓄電池パックＩＤを読み出す（Ｓ４２）。このとき、検査装置２３は、蓄電池パック５０の検査を行ってもよい。
【０１１５】
そして、処理装置２１は、返却データをサーバ装置１１に送信する（Ｓ４３）。返却データは、少なくとも会員ＩＤ及び蓄電池パックＩＤを含む。さらに、返却データは、蓄電池パック５０の使用量に関するデータを含んでもよい。
【０１１６】
サーバ装置１１は、処理装置２１から返却データを受信し、返却データに含まれる会員ＩＤ及び蓄電池パックＩＤのペアを第１管理テーブル１１ａにおいて照合する（Ｓ４４）。照合結果は、処理装置２１に送信される。
【０１１７】
ここで、会員ＩＤ及び蓄電池パックＩＤのペアの照合結果が成功であれば、サーバ装置１１は、第１管理テーブル１１ａを更新する（Ｓ４５）。具体的には、サーバ装置１１は、会員ＩＤ及び蓄電池パックＩＤのペアを用いて抽出されたレコードの返却日のフィールドに現在の日付を登録する。
【０１１８】
［効果］
以上のように、本実施の形態に係る蓄電池パック５０によれば、蓄電池パック５０の利用状況が蓄電池パック５０の貸与サービスの利用条件を満たさないときに蓄電池パック５０の利用を停止させることができる。つまり、蓄電池パック５０の利用に関するルールが守られなければ、利用者１００にペナルティを科すことができる。そのため、蓄電池パック５０の利用状況が利用条件を満たさなくなることを抑制することができ、蓄電池パック５０の不適切な利用を抑制することができる。
【０１１９】
また、本実施の形態に係る蓄電池パック５０によれば、蓄電池パック５０の利用状況が蓄電池パック５０の貸与サービスの第１利用条件を満たさないときに、蓄電池パック５０の放電中に放電を停止し、その後、放電開始要求があっても放電開始を許可しないことができる。つまり、蓄電池パック５０の利用に関するルールが守られなければ、放電中の蓄電池パック５０の放電を停止することができる。蓄電池パック５０が装着された電気機器３０の利用が厳しく制限されるため、蓄電池パック５０の不適切な利用を強く抑制することが可能となる。
【０１２０】
また、本実施の形態に係る蓄電池パック５０によれば、蓄電池パック５０の利用状況が蓄電池パック５０の貸与サービスの第２利用条件を満たさないときに、蓄電池パック５０の放電開始要求があっても放電開始を許可しないことができる。つまり、蓄電池パック５０の利用に関するルールが守られなければ、蓄電池パック５０の次回からの放電を禁止することができる。したがって、蓄電池パック５０の放電中に放電を停止することで電気機器３０の利用者１００に危険が生じることを防ぎつつ、蓄電池パック５０の不適切な利用を抑制することができる。
【０１２１】
また、本実施の形態に係る蓄電池パック５０によれば、蓄電池パック５０の利用状況が蓄電池パック５０の貸与サービスの第３利用条件を満たさないときに、蓄電池パック５０の充電要求があっても充電を許可しないことができる。つまり、蓄電池パック５０の利用に関するルールが守られなければ、蓄電池パック５０の充電を禁止することができる。言い換えると、蓄電池パック５０に既に蓄えられている電力の放電は許可されるので、ゆるやかに蓄電池パック５０の放電の停止に導くことができる。したがって、利用者１００の利便性の低下を防ぎつつ、蓄電池パック５０の不適切な利用を抑制することができる。
【０１２２】
また、本実施の形態に係る蓄電池パック５０によれば、蓄電池パック５０の返却期限までに蓄電池パック５０を返却することを第１利用条件として用いることができる。したがって、蓄電池パック５０が返却期限までに返却されないことを抑制することができる。
【０１２３】
また、本実施の形態に係る蓄電池パック５０によれば、蓄電池パック５０の更新期限までに蓄電池パック５０の状態を示す情報をサーバ装置１１に送信することを第２利用条件として用いることができる。したがって、蓄電池パック５０の状態を示す情報が更新期限までに送信されないことを抑制することができる。
【０１２４】
また、本実施の形態に係る蓄電池パック５０によれば、所定期間内に蓄電池パック５０の推奨使用量以上、蓄電池パック５０を使用することを第３利用条件として用いることができる。したがって、貸与された蓄電池パック５０が少ししか使用されないことを抑制することができる。つまり、蓄電池パック５０の使用を促進することができる。
【０１２５】
また、本実施の形態に係る蓄電池パック５０によれば、利用者１００が蓄電池パック５０の利用料として使用可能なポイントを、蓄電池パック５０の利用に必要なポイント数以上保有していることを第３利用条件として用いることができる。したがって、蓄電池パック５０の利用料としてポイントが使用されるときに、ポイント不足によって利用料が支払えなくなることを抑制することができる。
【０１２６】
また、本実施の形態に係る蓄電池パック５０によれば、ポイントの使用期限を超過するとポイントを失効させることができ、ポイント管理を適切に行うことができる。
【０１２７】
また、本実施の形態に係る蓄電池パック５０によれば、蓄電池パック５０の利用を停止させる以前に利用者１００に警告を発することができる。したがって、蓄電池パック５０の利用状況が蓄電池パック５０の貸与サービスの利用条件を満たさなくなる前に、蓄電池パック５０の利用状況を改善することができ、蓄電池パック５０の不適切な利用を抑制することができる。
【０１２８】
また、本実施の形態に係る蓄電池パック５０によれば、蓄電池パック５０の放電開始要求があったときに放電開始を待機させることを警告として利用することができ、利用者１００に警告をより確実に伝えることが可能となる。
【０１２９】
また、本実施の形態に係る蓄電池パック５０によれば、サーバ装置１１から情報端末４０及び通信器５２を介して、利用状況が利用条件を満たしていないことを示す情報を取得することができる。つまり、蓄電池パック５０は、情報端末４０の通信機能を利用してサーバ装置１１から情報を取得することが可能となる。その結果、蓄電池パック５０が情報端末４０を介さずにサーバ装置１１から情報を受信する場合よりも、サーバ装置１１からの情報の取得をより簡易に実現することができる。
【０１３０】
また、本実施の形態に係る蓄電池パック５０によれば、通信器５２は近距離無線通信によって情報端末４０と通信することができる。したがって、スマートフォンなどの情報端末４０が一般的に有する近距離無線通信機能を利用して、サーバ装置１１からの情報の取得をより簡易に実現することができる。
【０１３１】
（他の実施の形態）
以上、１つ又は複数の態様に係る蓄電池パックについて、実施の形態に基づいて説明したが、本開示は、この実施の形態に限定されるものではない。本開示の趣旨を逸脱しない限り、当業者が思いつく各種変形を本実施の形態に施したものも、１つ又は複数の態様の範囲内に含まれてもよい。
【０１３２】
なお、上記実施の形態において、蓄電池パック５０の通信器５２は情報端末４０と無線通信していたが、これに限定されない。例えば、通信器５２は、サーバ装置１１と無線通信する第２通信器であってもよい。また例えば、通信器５２は、情報端末４０と通信する第１通信器と、サーバ装置１１と無線通信する第２通信器との両方を備えてもよい。
【０１３３】
この構成によれば、サーバ装置１１から通信器５２を介して、利用状況が利用条件を満たしていないことを示す情報を取得することができる。つまり、蓄電池パック５０は、情報端末４０を介さずにサーバ装置１１から情報を取得することが可能となる。したがって、蓄電池パック５０が情報端末４０と通信できないときにもサーバ装置１１から情報を取得することができ、サーバ装置１１からの情報の取得をより確実に行うことができる。
【０１３４】
なお、上記実施の形態では、蓄電池パック５０の利用を停止させる方法として、（i）放電中に放電を停止し、その後、放電開始要求があっても放電開始を許可しないこと、（ii）放電中に放電を停止させずに、放電開始要求があっても放電開始を許可しないこと、及び、（iii）充電要求があっても充電を許可しないことの３つの方法が例示されていたが、これに限定されない。例えば、上記（i）〜（iii）のうちの２つの組み合わせを１つの方法として用いてもよい。例えば、（ii）放電中に放電を停止させずに、放電開始要求があっても放電開始を許可せず、かつ、（iii）充電要求があっても充電を許可しないことにより、蓄電池パック５０の利用が停止されてもよい。
【０１３５】
なお、上記実施の形態では、４つの利用条件（第１利用条件〜第４利用条件）が用いられていたが、これに限定されない。４つの利用条件のうちのいくつか又は１つのみが用いられてもよい。例えば、第１利用条件のみが用いられてもよい。この場合、図８において、第１利用条件が満たされれば（Ｓ１０１のＹｅｓ）、充放電が許可されればよい（Ｓ１１０）。同様に、第２利用条件のみ、第３利用条件のみ、あるいは第４利用条件のみが用いられてもよい。
【０１３６】
なお、上記実施の形態における４つの利用条件の各々は例示であり、これに限定されない。例えば、上記第１利用条件が第２利用条件として用いられてもよい。また例えば、上記第１利用条件及び上記第２利用条件の組み合わせが、第１利用条件として用いられてもよい。また例えば、第４利用条件は、蓄電池パック５０の返却期限の所定期間前までに蓄電池パック５０を返却することであってもよい。また例えば、第４利用条件は、蓄電池パック５０の使用温度が閾値温度を超えないことであってもよい。また例えば、第４利用条件は、蓄電池パック５０に衝撃異常が発生していないことであってもよい。
【０１３７】
なお、上記実施の形態では、サーバ装置１１が利用条件の判定を行っていたが、これに限定されない。例えば、蓄電池パック５０の状態（例えば、例えば、使用温度、使用量、衝撃異常など）に関する利用条件であれば、蓄電池パック５０が利用条件の判定を行ってもよい。
【０１３８】
なお、上記実施の形態では、蓄電池パックの返却期限、状態情報の更新期限、及びポイントの期限は、日で管理されていたが、日時で管理されてもよい。
【０１３９】
なお、上記実施の形態における蓄電池パック５０の構成は例示であり、図２に示す構成に限定されない。例えば、蓄電池パック５０は、少なくとも入出力器５４及び制御器５５を備えればよい。
【０１４０】
なお、上記実施の形態における蓄電池パック５０の複数の端子５３は例示であり、図２に示すように構成されなくてもよい。例えば、放電端子５３ａ及び充電端子５３ｂは１つの端子で実現されてもよい。また例えば、通信端子５３ｃ及びＩＤ端子５３ｄは１つの端子で実現されてもよい。
【０１４１】
なお、上記実施の形態では、返却期限までに蓄電池パック５０が返却されなければ、蓄電池パック５０の利用が停止させられていたが、必ずしも一律に利用を停止させる必要はない。例えば、蓄電池パック５０の返却期限までに蓄電池パック５０を返却しなくても、所定期間内に蓄電池パック５０の推奨使用量以上、蓄電池パック５０を使用すれば、利用を停止させなくてもよい。これによれば、蓄電池パック５０を推奨使用量以上使用する利用者は、返却期限が過ぎても利用停止されないため、返却する手間を軽減されて使用継続できるので、蓄電池パックの使用を促進することができる。
【産業上の利用可能性】
【０１４２】
本開示は、貸与サービスにおいて用いられる蓄電池パックに利用可能である。
【符号の説明】
【０１４３】
１０  管理センタ
１１  サーバ装置
１１ａ  第１管理テーブル
１１ｂ  第２管理テーブル
２０  サービスセンタ
２１  処理装置
２２  カードリーダ
２３  検査装置
２４  中継装置
３０  電気機器
４０  情報端末
５０  蓄電池パック
５１  蓄電池
５２  通信器
５３  複数の端子
５３ａ  放電端子
５３ｂ  充電端子
５３ｃ  通信端子
５３ｄ  ＩＤ端子
５３ｅ  グランド端子
５４  入出力器
５５  制御器
５６  記憶器
５７  警告器
１００  利用者
【図１】
0006788853.tif 000002
【図２】
0006788853.tif 000003
【図３】
0006788853.tif 000004
【図４】
0006788853.tif 000005
【図５】
0006788853.tif 000006
【図６】
0006788853.tif 000007
【図７】
0006788853.tif 000008
【図８】
0006788853.tif 000009
【図９】
0006788853.tif 000010